(57)【要約】      （修正有）【課題】歯形模型切断の際のダウエルピンの切断を少なくし、また歯形模型を裏返した際に切断歯形模型が落下するのを抑えることができる歯科技工用作業模型を提供する。【解決手段】歯形模型４が固定される固定用プレート６と、固定用プレート６に植設された複数のダウエルピン８と、固定用プレート６を支持するための支持基台１０と、を備えた歯科技工用作業模型。支持基台１０の支持領域１８には複数の挿入孔２０が設けられ、これら挿入孔２０は、支持領域１８の幅方向の中央線よりも特定側部側に配置されている。また、支持基台１０の特定側部側及びその他方側部には第１係合突条２６及び第２係合突条２８を設け、第２係合突条２８の内側面には、特定側部側に向けて延びる複数の補助係合突条３０を設け、複数の補助係合突条３０は、隣接する挿入孔２０の間に１．５〜５個ある構成とする。【選択図】図２
2020116177.tif 000002
【特許請求の範囲】
【請求項１】
歯形模型が固定される固定用プレートと、前記固定用プレートに植設された複数のダウエルピンと、前記固定用プレートを支持するための支持基台と、を備えた歯科技工用作業模型であって、
前記支持基台の上面に設けられた支持領域には、前記複数のダウエルピンが挿入される複数の挿入孔が設けられ、前記複数の挿入孔は、前記支持基台における前記支持領域の幅方向の中央線よりも特定側部側に配置されており、
また、前記支持基台における前記支持領域の前記特定側部及び前記特定側部と対向する他方側部には、上方に突出する第１係合突条及び第２係合突条が設けられ、前記第２係合突条の内側面には、前記特定側部に向けて延びる複数の補助係合突条が設けられ、前記複数の補助係合突条は、隣接する挿入孔の間に１．５〜５個設けられており、
また、前記固定用プレートの下面には、前記支持領域の前記第１係合突条及び前記第２係合突条に対応して第１係合凹条及び第２係合凹条が設けられているとともに、前記支持領域の前記複数の補助係合突条に対応して複数の補助係合凹条が設けられていることを特徴とする歯科技工用作業模型。
【請求項２】
前記支持基台側の前記複数の補助係合突条の先端部の各々には、上方に突出する先端突部が設けられ、また前記固定用プレート側の前記複数の補助係合凹条の先端部の各々には、前記支持基台側の前記先端突部に対応して先端凹部が設けられていることを特徴とする請求項１に記載の歯科技工用作業模型。
【請求項３】
前記支持基台側の前記複数の補助係合突条の先端側は、前記支持領域の前記幅方向の前記中央線まで又は前記中央線を越えて前記特定側部側に延びており、また前記固定用プレート側の前記複数の補助係合凹条は、前記固定用プレートの幅方向の中央線まで又は前記中央線を越えて延びていることを特徴とする請求項１又は２に記載の歯科技工用作業模型。
【請求項４】
前記支持基台の前記第１係合突条の内側面には、内側に向けて下方に傾斜して延びる基台側傾斜突部が設けられ、前記基台側傾斜突部には、前記基台側傾斜突部に沿って間隔をおいて複数の基台側係合凹部が設けられ、また前記固定用プレートの下面には、前記基台側傾斜突部に対応して、内側に向けて前記支持基台側に傾斜して延びるプレート側傾斜凹条が設けられ、前記プレート側傾斜凹条には、前記プレート側傾斜凹条に沿って間隔をおいて複数のプレート側係合突部が設けられていることを特徴とする請求項１〜３のいずれかに記載の歯科技工用作業模型。
【請求項５】
前記支持基台側の前記複数の補助係合突条の上面には、内側に向けて下方に傾斜して延びる基台側傾斜面が設けられ、また固定プレート側の前記複数の補助係合凹条の底面には、内側に向けて前記支持基台側に傾斜して延びるプレート側傾斜面が設けられていることを特徴とする請求項１〜４のいずれかに記載の歯科技工用作業模型。
【請求項６】
前記歯形模型は全顎タイプであり、これに対応して、前記固定用プレート及び前記支持基台の前記支持領域はそれぞれ弧状に延びており、前記支持領域の両端部における隣接する挿入孔間に設けられた補助係合突条の個数は、前記支持領域の中央部における隣接する挿入孔間に設けられた補助係合突条の個数よりも多いことを特徴とする請求項１に記載の歯科技工用作業模型。
【請求項７】
前記歯形模型は部分タイプであり、これに対応して、前記固定用プレート及び前記支持基台の前記支持領域はそれぞれ横長に形成されており、前記複数の補助係合突条は、前記支持領域における隣接する挿入孔間に３〜５個設けられていることを特徴とする請求項１に記載の歯科技工用作業模型。
【請求項８】
歯形模型が固定される固定用プレートと、前記固定用プレートに植設された複数のダウエルピンと、前記固定用プレートを支持するための支持基台と、を備えた歯科技工用作業模型であって、
前記支持基台の上面に設けられた支持領域には、前記複数のダウエルピンが挿入される複数の挿入孔が設けられ、前記複数の挿入孔は、前記支持基台における前記支持領域の幅方向の中央線よりも特定側部側に配置されており、
また、前記支持基台における前記支持領域の前記特定側部及び前記特定側部と対向する他方側部には、上方に突出する第１係合突条及び第２係合突条が設けられ、前記第２係合突条の内側面には、前記特定側部に向けて延びる複数の補助係合突条が設けられ、前記複数の補助係合突条の先端部の各々には、上方に突出する先端突部が設けられており、
また、前記固定用プレートの下面には、前記支持領域の前記第１係合突条及び前記第２係合突条に対応して第１係合凹条及び第２係合凹条が設けられているとともに、前記支持領域の前記複数の補助係合突条に対応して複数の補助係合凹条が設けられ、前記複数の補助係合凹条の先端部の各々には、前記支持基台側の前記先端突部に対応して先端凹部が設けられていることを特徴とする歯科技工用作業模型。
【請求項９】
前記支持基台側の前記複数の補助係合突条の各々には、その長手方向中間部に１つ又は２つ以上の中間突部が設けられ、また前記固定プレート側の前記複数の補助係合凹条の各々には、前記複数の補助係合突条の中間突部に対応して中間凹部が設けられていることを特徴とする請求項８に記載の歯科技工用作業模型。
【請求項１０】
歯形模型が固定される固定用プレートと、前記固定用プレートに植設された複数のダウエルピンと、前記固定用プレートを支持するための支持基台と、を備えた歯科技工用作業模型であって、
前記支持基台の上面に設けられた支持領域には、前記複数のダウエルピンが挿入される複数の挿入孔が設けられ、前記複数の挿入孔は、前記支持基台における前記支持領域の幅方向の中央線よりも特定側部側に配置されており、
また、前記支持基台における前記支持領域の前記特定側部及び前記特定側部と対向する他方側部には、上方に突出する第１係合突条及び第２係合突条が設けられ、前記第２係合突条の内側面には、前記特定側部に向けて延びる複数の補助係合突条が設けられ、前記複数の補助係合突条の先端側は、前記支持領域の前記幅方向の前記中央線まで又は前記中央線を越えて前記特定側部側に延びており、
また、前記固定用プレートの下面には、前記支持領域の前記第１係合突条及び前記第２係合突条に対応して第１係合凹条及び第２係合凹条が設けられているとともに、前記支持領域の前記複数の補助係合突条に対応して複数の補助係合凹条が設けられ、前記複数の補助係合凹条は、前記固定用プレートの幅方向の中央線まで又は前記中央線を越えて延びていることを特徴とする歯科技工用作業模型。
【発明の詳細な説明】
【技術分野】
【０００１】
本発明は、歯科治療などにおいて用いられる歯科技工用作業模型に関する。
【背景技術】
【０００２】
一般に、歯科治療などにおいて用いられる歯科技工用作業模型は、歯形模型が固定される固定用プレートと、固定用プレートに植設された複数のダウエルピンと、固定用プレートを支持するための支持基台とを備えている（例えば、特許文献１参照）。支持基台は合成樹脂から形成され、この支持基台の上面には、固定用プレートを支持するための支持領域が設けられ、この支持領域に間隔をおいて複数の挿入孔が設けられているとともに、その片側側部及び他側側部には、上方に突出する片側係合突条及び他側係合突条が設けられている。また、この支持領域における、片側係合突条と複数の挿入孔との間の部位に、複数の係合補助突部が間隔をおいて配設され、これら係合補助突部が支持領域の長手方向に沿って設けられている。また、固定用プレートは石膏から形成され、その下面には、支持基台側の片側係合突条及び他側係合突条に対応して片側係合凹条及び他側係合凹条が設けられているとともに、支持基台側の複数の係合補助突部に対応して複数の係合補助凹部が設けられている。
【０００３】
この歯科技工用作業模型においては、固定用プレートに植設されたダウエルピンを支持基台の挿入孔に挿入すると、固定用プレートが支持基台の支持領域に支持される。この支持状態では、支持基台側の片側係合突条及び他側係合突条と固定用プレート側の片側係合凹条及び他側係合凹条とが係脱自在に係合されるとともに、支持基台側の複数の係合補助突部と固定用プレート側の複数の係合補助凹部とが係脱自在に係合される。
【０００４】
そして、このように固定用プレートを装着した状態において、この固定用プレートの上面に接着剤などにより歯形模型が固着され、かく固着した状態にて歯形模型の所定部位が固定用プレートとともに切断され、切断された歯形模型を用いて所要の歯科技工作業（例えば、歯冠補綴物の製作など）が行われる。このとき、切断した固定用プレート側の片側係合凹条及び他側係合凹条と支持基台側の片側係合突条及び他側係合突条とが相互に係合するとともに、固定用プレート側の係合補助凹部と支持基台側の係合補助突部とが相互に係合しているので、切断した固定用プレートの支持基台に対する回転が抑制され、これにより、歯科技工作業（例えば、歯冠補綴物の製作など）を高精度に且つ確実に行うことができる。
【先行技術文献】
【特許文献】
【０００５】
【特許文献１】特開２０１５−２４１５７号公報
【発明の概要】
【発明が解決しようとする課題】
【０００６】
しかしながら、上述のような従来の歯科技工用作業模型では、複数の挿入孔が支持基台の支持領域の幅方向の中央部にその長手方向に沿って設けられている（換言すると、これら挿入孔に固定用プレート側のダウエルピンが挿入される）ので、歯科技工作業の切断の際にダウエルピンを切断するおそれがあった。
【０００７】
特に、歯形模型が全顎タイプの場合、固定用プレートには、歯の数に対応して１４本のダウエルピンが設けられ、また支持基台には、各ダウエルピンに対応して１４個の挿入孔が設けられ、このことに関連して、この支持基台の支持領域における長手方向の中央部及びその近傍では、隣接するダウエルピンの間隔が狭くなり、それ故に、切断の際に作業ミスによりダウエルピンを切断するおそれがある。切断作業中にダウエルピンを切断すると、この歯科技工作業を最初からやり直さなければならず、歯形模型を再度取り直しするようになる。
【０００８】
また、この歯科技工作業中に切断した歯科技工用作業模型を移動させることがあり、この移動の際に裏返して移動させることがある。従来の歯科技工用作業模型では、上述したように、複数の挿入孔が支持基台の支持領域の幅方向の中央部に設けられているために、この歯科技工用作業模型を裏返した際に、切断した歯形模型のダウエルピンが支持基台側の挿入孔から外れて落下するおそれがあり、落下した場合、切断した歯形模型が破損するおそれがある。
【０００９】
本発明の目的は、歯形模型切断の際のダウエルピンの切断を少なくすることができるとともに、歯科技工用歯形模型を裏返した際に切断した歯形模型が落下するのを抑えることができる歯科技工用作業模型を提供することである。
【課題を解決するための手段】
【００１０】
本第１発明では、歯形模型が固定される固定用プレートと、前記固定用プレートに植設された複数のダウエルピンと、前記固定用プレートを支持するための支持基台と、を備えた歯科技工用作業模型であって、
前記支持基台の上面に設けられた支持領域には、前記複数のダウエルピンが挿入される複数の挿入孔が設けられ、前記複数の挿入孔は、前記支持基台における前記支持領域の幅方向の中央線よりも特定側部側に配置されており、
また、前記支持基台における前記支持領域の前記特定側部及び前記特定側部と対向する他方側部には、上方に突出する第１係合突条及び第２係合突条が設けられ、前記第２係合突条の内側面には、前記特定側部に向けて延びる複数の補助係合突条が設けられ、前記複数の補助係合突条は、隣接する挿入孔の間に１．５〜５個設けられており、
また、前記固定用プレートの下面には、前記支持領域の前記第１係合突条及び前記第２係合突条に対応して第１係合凹条及び第２係合凹条が設けられているとともに、前記支持領域の前記複数の補助係合突条に対応して複数の補助係合凹条が設けられていることを特徴とする歯科技工用作業模型が提供される。
【００１１】
また、本第２発明では、歯形模型が固定される固定用プレートと、前記固定用プレートに植設された複数のダウエルピンと、前記固定用プレートを支持するための支持基台と、を備えた歯科技工用作業模型であって、
前記支持基台の上面に設けられた支持領域には、前記複数のダウエルピンが挿入される複数の挿入孔が設けられ、前記複数の挿入孔は、前記支持基台における前記支持領域の幅方向の中央線よりも特定側部側に配置されており、
また、前記支持基台における前記支持領域の前記特定側部及び前記特定側部と対向する他方側部には、上方に突出する第１係合突条及び第２係合突条が設けられ、前記第２係合突条の内側面には、前記特定側部に向けて延びる複数の補助係合突条が設けられ、前記複数の補助係合突条の先端部の各々には、上方に突出する先端突部が設けられており、
また、前記固定用プレートの下面には、前記支持領域の前記第１係合突条及び前記第２係合突条に対応して第１係合凹条及び第２係合凹条が設けられているとともに、前記支持領域の前記複数の補助係合突条に対応して複数の補助係合凹条が設けられ、前記複数の補助係合凹条の先端部の各々には、前記支持基台側の前記先端突部に対応して先端凹部が設けられていることを特徴とする歯科技工用作業模型が提供される。
【００１２】
更に、本第３発明では、歯形模型が固定される固定用プレートと、前記固定用プレートに植設された複数のダウエルピンと、前記固定用プレートを支持するための支持基台と、を備えた歯科技工用作業模型であって、
前記支持基台の上面に設けられた支持領域には、前記複数のダウエルピンが挿入される複数の挿入孔が設けられ、前記複数の挿入孔は、前記支持基台における前記支持領域の幅方向の中央線よりも特定側部側に配置されており、
また、前記支持基台における前記支持領域の前記特定側部及び前記特定側部と対向する他方側部には、上方に突出する第１係合突条及び第２係合突条が設けられ、前記第２係合突条の内側面には、前記特定側部に向けて延びる複数の補助係合突条が設けられ、前記複数の補助係合突条の先端側は、前記支持領域の前記幅方向の前記中央線まで又は前記中央線を越えて前記特定側部側に延びており、
また、前記固定用プレートの下面には、前記支持領域の前記第１係合突条及び前記第２係合突条に対応して第１係合凹条及び第２係合凹条が設けられているとともに、前記支持領域の前記複数の補助係合突条に対応して複数の補助係合凹条が設けられ、前記複数の補助係合凹条は、前記固定用プレートの幅方向の中央線まで又は前記中央線を越えて延びていることを特徴とする歯科技工用作業模型が提供される。
【発明の効果】
【００１３】
本第１発明の歯科技工用作業模型によれば、支持基台の支持領域には、固定用プレート側の複数のダウエルピンが挿入される複数の挿入孔が設けられ、これら挿入孔は、支持領域の幅方向の中央線よりも特定側部側に配置されているので、この支持領域の特定側部側の幅（即ち、特定側端部から挿入孔までの幅）は、その他方側部側の幅（即ち、他方側端部から挿入孔までの幅）よりも小さくなる。この作業模型を切断する際には、支持基台の特定側部側を作業者側に位置付け、かく位置付けた状態で作業模型を切断するようになり、これによって、固定用プレートに固定された歯形模型を切断する際におけるダウエルピンの切断を少なくすることができる。
【００１４】
また、このような作業模型では、歯形模型が固定された固定用プレートの幅方向の重心は、その幅方向のほぼ中央線上に位置するのに対し、固定プレート側のダウエルピンが挿入される複数の挿入孔は支持領域の特定側部側に片寄って位置しているために、歯形模型が固定された固定用プレートの幅方向の重心は、ダウエルピンから幅方向にずれた位置にあり、従って、固定用プレートを装着した状態で支持基台を裏返したときには、固定用プレートの幅方向の重心に作用する力は、ダウエルピンを挿入孔の内周面に押し付けるように作用し、これによって、裏返した際におけるダウエルピンの挿入孔からの抜けを効果的に抑えることができる。
【００１５】
また、支持基台側の特定側部及び他方側部に第１係合突条及び第２係合突条が設けられ、固定用プレート側に第１係合凹条及び第２係合凹条が設けられ、加えて支持基台側の第２係合突条の内側面に複数の補助係合突条が設けられ、固定用プレート側に複数の補助係合凹条が設けられているので、支持基台側の複数の挿入孔に固定用プレート側の複数のダウエルピンを挿入して装着すると、支持基台側の第１係合突条及び第２係合突条と固定用プレート側の第１係合凹条及び第２係合凹条とが係脱自在に係合されるとともに、支持基台側の複数の補助係合突条と固定用プレート側の複数の補助係合凹条とが係脱自在に係合されるので、支持基台と固定用プレートとを確実に係合させ、固定用プレートに固定された歯科模型を切断した際にも、切断した固定用プレートのガタ及び回動（ダウエルピンを中心とする回動）を抑えることができる。
【００１６】
更に、支持基台側の複数の補助係合突条は、隣接する挿入孔の間（即ち、隣接する挿入孔の中心間）に１．５〜５個設けられているので、歯科模型を切断したときにその切断片には少なくとも１個の補助係合突条が含まれるようになり、これによって、支持基台と固定用プレートとをより確実に係合させ、固定用プレートに固定された歯科模型を切断した際にも、切断した固定用プレートのガタ及び回動（ダウエルピンを中心とする回動）を一層抑えることができる。
【００１７】
また、本第２発明の歯科技工用作業模型によれば、その基本的構成は、本第１発明と同様であるので、上述したと同様の作用効果を奏することができる。加えて、支持基台側の第２係合突条の内側面には、特定側部に向けて延びる複数の補助係合突条が設けられ、これら複数の補助係合突条の先端部の各々には、上方に突出する先端突部が設けられ、また固定プレートの下面には、支持基台側の複数の補助係合突条に対応して複数の補助係合凹条が設けられ、これら複数の補助係合凹条の先端部の各々には、支持基台側の先端突部に対応して先端凹部が設けられているので、支持基台側の複数の挿入孔に固定用プレート側の複数のダウエルピンを挿入して装着すると、支持基台側の複数の補助係合突条と固定用プレート側の複数の補助係合凹条とが係脱自在に係合されるとともに、複数の補助係合突条の先端突部が複数の係合補助凹部の先端凹部に係脱自在に食い込むように係合され、これにより、支持基台と固定用プレートとを確実に係合させ、固定用プレートに固定された歯科模型を切断した際にも、切断した固定用プレートのガタ及び回動（ダウエルピンを中心とする回動）を抑えることができる。
【００１８】
更に、本第３発明の歯科技工用作業模型によれば、その基本的構成は、本第１発明と同様であるので、上述したと同様の作用効果を奏することができる。加えて、支持基台側の第２係合突条の内側面には、特定側部に向けて延びる複数の補助係合突条が設けられ、これら複数の補助係合突条の先端側は、支持領域の幅方向の中央線まで又は中央線を越えて特定側部側に延び、固定用プレートの下面には、支持領域の複数の補助係合突条に対応して複数の補助係合凹条が設けられ、これら複数の補助係合凹条は、固定用プレートの幅方向の中央線まで又は前記中央線を越えて延びているので、支持基台側の複数の挿入孔に固定用プレート側の複数のダウエルピンを挿入して装着すると、支持基台側の複数の補助係合突条と固定用プレート側の複数の補助係合凹条とが係脱自在に係合され、これら複数の補助係合突条と複数の補助係合凹条の係合状態が支持領域の幅方向の中央線まで又がこの中央線を越えて延び、このようにしても、支持基台と固定用プレートとを確実に係合させ、固定用プレートに固定された歯科模型を切断した際にも、切断した固定用プレートのガタ及び回動（ダウエルピンを中心とする回動）を抑えることができる。
【図面の簡単な説明】
【００１９】
【図１】本発明に従う歯科技工用作業模型の第１の実施形態を示す斜視図。
【図２】図１の作業模型にて固定用プレートを取り付ける前の状態を示す斜視図。
【図３】図１におけるＩＩＩ−ＩＩＩ線による断面図。
【図４】図１の作業模型を反対に向けたときの力の作用を説明するための図。
【図５】図１の作業模型を製作する前の状態を示す分解斜視図。
【図６】支持基台に装着した成型用基枠内に石膏を注入した状態を示す断面図。
【図７】本発明に従う歯科技工用作業模型の第２の実施形態における支持基台の上面を示す平面図。
【図８】図７の支持基台に歯科模型が固定された固定用プレートを装着した状態を示す断面図。
【図９】本発明に従う歯科技工用作業模型の第３の実施形態を示す断面図。
【図１０】本発明に従う歯科技工用作業模型の第４の実施形態における支持基台を示す平面図。
【図１１】本発明に従う歯科技工用作業模型の第５の実施形態における支持基台を示す平面図。
【図１２】図１１におけるＸＩＩ−ＸＩＩ線による断面図。
【図１３】本発明に従う歯科技工用作業模型の第６の実施形態における支持基台を示す平面図。
【図１４】本発明に従う歯科技工用作業模型の第７の実施形態における支持基台を示す平面図。
【発明を実施するための形態】
【００２０】
以下、添付図面を参照して、本発明に従う歯科技工用作業模型の各種実施形態について説明する。
【００２１】
〈第１の実施形態〉
まず、図１〜図６を参照して、第１の実施形態の歯科技工用作業模型について説明する。図１〜図３において、図示の歯科技工用作業模型２は、歯形模型４が固定される固定用プレート６と、固定用プレート６に植設された５本のダウエルピン８と、固定用プレート６を支持するための支持基台１０と、を備えている。
【００２２】
支持基台１０は支持基台本体１２を備え、この支持基台本体１２は、例えばポリエチレン樹脂やポリプロピレン樹脂、ナイロン樹脂、ウレタン樹脂などの合成樹脂から形成される。この支持基台本体１２は、横長且つ筒状の周側壁１４と、周側壁１４の上面を覆う横長の上壁１６とを有している。この実施形態では、上壁１６の上面（支持基台１０の上面を規定する部分）の全域は、図３から理解されるように、固定用プレート６を支持するための支持領域１８として機能する。
【００２３】
この支持基台本体１２の支持領域１８には、その長手方向（図１及び図２において左下から右上の方向、図３において紙面に垂直な方向）に間隔を置いて５個の挿入孔２０が設けられている。周側壁１４の内側に形成された内部空間２２には、各挿入孔２０に対応して上壁１６の下面から下方に延びる筒状突出部２４が設けられ、各挿入孔２０は上壁１６及び筒状突出部２２を貫通して設けられている（図３参照）。各挿入孔２０は、筒状突出部２４の上端部から下端部に向けて内径が漸減するテーパ状に形成されている。尚、この形態では、支持基台１０に固定用プレート６を装着した状態において、ダウエルピン８の先端部はこの挿入孔２０を貫通して下方に幾分突出するようになっている。
【００２４】
また、上壁１６の上面（即ち、支持領域１８）における特定側部（図１及び図２において左上側の側部、図３において左側の側部）には、上方に突出する第１係合突条２６が設けられ、その他方側部には（図１及び図２において右下側の側部、図３において右側の側部）には、上方に突出する第２係合突条２８が設けられている。第１係合突条２６及び第２係合突条２８は、相互に対向して配置され、支持基台本体１２の長手方向略全長にわたって設けられ、その両端部においては、第１係合突条２６及び第２係合突条２８は省略されている。第１係合突条２６及び第２係合突条２８は、例えば、上壁１６の表面から同じ高さに形成され、それらの上壁１６からの突出高さＨ１（図５参照）は、約１．０〜３．０ｍｍ程度に設定される。
【００２５】
この実施形態では、複数の挿入孔２０（具体的には、その中心線Ｐ２）は、支持基台１０（支持基台本体１２）の上面、即ち支持領域１８の幅方向の中央線Ｐ１よりも特定側部側、即ち第１係合突条２６側に配置されており、複数の挿入孔２０が一列で配設される形態のも（所謂、シングルタイプのもの）においては、複数の挿入孔２０の中心線Ｐ１がこの中央線Ｐ１よりも特定側部側に配置されていることをいい、複数の挿入孔２０の全体がこの中央線Ｐ１よりも特定側部側に配置されるのが好ましい。複数の挿入孔２０は、支持基台本体１２の上面（即ち、支持領域１８）に沿って設けられ、この支持基台本体１２における上壁１６の上面（即ち、支持領域１８）の幅をＷとしたときに、その特定側端からの距離Ｗ１（具体的には、挿入孔２０の中心線Ｐ２までの距離）は、例えば（Ｗ／５）＜Ｗ１＜（Ｗ／２）の範囲に、好ましくは例えばＷ／４＜Ｗ１＜２Ｗ／５）の範囲に配置される。
【００２６】
また、このことに関連して、この支持基台１２の支持領域１８には、複数の補助係合突条３０が設けられている。これら補助係合突条３０は、支持基台１２の第２係合突条２８の内側面（即ち、第１係合突条２６と対向する側面）から内側に向けて直線状に延び、この実施形態では、この支持基台１２の幅方向の中央線Ｐ１を越えて延びているが、この中央線Ｐ１まで延びるように構成してもよく、この中央線Ｐ１付近までのびるように構成するようにしてもよい。
【００２７】
複数の補助係合突条３０の高さＨ１は、図３に示すように、例えば第２係合突条２８の高さＨの１／２０〜３／５程度の高さ（Ｈ／２０＜Ｈ１＜３Ｈ／５）に設定され、例えば１／１０〜２／５程度の高さ（Ｈ／１０＜Ｈ１＜２Ｈ／５）に設定するのが好ましい。
【００２８】
また、周側壁１４の外周面には、複数の挿入孔２０の各々に対応して（換言すると、固定用プレート６のダウエルピン８に対応して）位置決め用突部３２が設けられている。この位置決め用突部３２は、挿入孔２０を挟んでそれらの両側にそれぞれ配設されている。
【００２９】
固定用プレート６は石膏から形成されたプレート本体３４を備え、このプレート本体３４は、支持基台本体１２の上壁１６の形状に対応した横長の形状を有している。この固定用プレート６には、支持基台本体１２の各挿入孔１８に対応して５本のダウエルピン８が植設されている。ダウエルピン８は、上述のように各挿入孔１８がテーパ状に形成されていることに対応して、その基端部から先端部に向けて外径が漸減するテーパ状に形成されている。また、固定用プレート６に埋設されるダウエルピン８の基端部には、固定用プレート６に対する固定強度を高めるためにローレット加工が施されている。
【００３０】
また、固定用プレート６（即ち、プレート本体３４）の下面（即ち、ダウエルピン８が突出する側の面）における片側側部（支持基台１０の特定側部に対応する側部）には、支持基台１０側の第１係合突条２６に対応して第１係合凹条３６が設けられ、またその他側側部（支持基台１０の他方側部に対応する側部）には、支持基台１０の第２係合突条２８に対応して第２係合凹条３８が設けられている。これら第１係合凹条３６及び第２係合凹条３８は、上方に延びるとともに固定用プレート６の長手方向に延びている。
【００３１】
この固定用プレート６（プレート本体３４）の下面には、更に、支持基台１０側の複数の補助係合突条３０に対応して複数の補助係合凹条４０が設けられている。これら補助係合凹条４０は、第２係合凹条３８の内側面から内側に直線状に延びている。
【００３２】
複数の補助係合突条３０（及び複数の補助係合凹条４０）は、一対の隣接する挿入孔２０の間、即ち一方の挿入孔２０の中心線Ｐ１から他方の挿入孔２０の中心線Ｐ１との間の間隔に、１．５〜５個程度設けられ、このように設けることにより、後述する如く切断した歯形模型片は、少なくとも一つの補助係合突条３０に係合するようになり、隣接する挿入孔２０間に２〜５個設けるのが好ましく、このように設けることにより、この切断した歯形模型片は、少なくとも二つの補助係合突条３０に係合するようにより、より確実に係合させることができる。
【００３３】
この固定用プレート６の上面には、石膏から形成された歯形模型４（本実施形態では、部分歯タイプのもの）が固定されている。この固定用プレート６は、ダウエルピン８を対応する挿入孔２０に着脱自在に挿入することにより、支持基台本体１２の上壁１６の上面（即ち、支持領域１８）に着脱自在に支持される。この支持状態においては、図３に示すように、固定用プレート６（プレート本体３４）側の第１係合凹条３６及び第２係合凹条３８と支持基台１０（支持基台本体１２）側の第１係合突条２６及びの第２係合突条２８とが相互に着脱自在に係合されるとともに、固定プレート６側の複数の補助係合凹条４０と支持基台１０（支持基台本体１２）側の複数の補助係合突条３８とが相互に着脱自在に係合される。
【００３４】
次に、主として図３及び図５〜図６を参照して、上述した歯科技工用作業模型２の製造方法について説明する。この作業模型２を製作するには、歯型（図示せず）に石膏を流し込んで歯形模型４を製作し、また、合成樹脂による例えば射出成形によって支持基台１２を製造する。そして、図５に示すように、支持基台１０（支持基台本体１２）の各挿入孔２０にダウエルピン８を先端部側から着脱自在に挿入する（ダウエルピン挿入工程）。このように挿入すると、ダウエルピン８の基端部は、支持基台１０の上面、即ち支持基台本体１２の上壁１６の上面から上方に所定長さ（例えば、約３〜４ｍｍ程度）突出する（図６参照）。
【００３５】
その後、図５及び図６に示すように、支持基台本体１２の上部に成型用基枠４２を着脱自在に装着する（基枠装着工程）。ここで、基枠装着工程で用いる成型用基枠４２について説明すると、成型用基枠４２は全体として略矩形状の外形を有し、例えばシリコンゴムや合成ゴムなどのゴム材料から形成されている。成型用基枠４２の内側には上下方向に貫通する貫通開口４４が設けられ、この貫通開口４４は、支持基台本体１２の上部の形状に対応した形状を有している。
【００３６】
成型用基枠４２を支持基台本体１２の上部に装着すると、図６に示すように、支持基台本体１２の上壁１６及び周側壁１４の上端部が貫通開口４４の下端部に挿入され、成型用基枠４２の内周面が周側壁１４の外周面に密着するように取り付けられる。このとき、成型用基枠４２の下端部が支持基台本体１２の位置決め用突部３２に当接支持されることにより、成型用基枠４２が支持基台本体１２に対して位置決めされる。この装着状態では、成型用基枠４２は、支持基台本体１２の上壁１６の上面から上方に所定高さ（例えば、約７〜１０ｍｍ程度）だけ突出されるようになり、支持基台本体１２の上面及び成型用基枠４２の内周面によって注入空間４６が規定される。
【００３７】
その後、固定用プレート６を成型するための石膏４８を注入空間４６に注入する（プレート成形工程）。この石膏４８は、ダウエルピン８の基端部が石膏４８に完全に浸漬されるまで注入される。このとき、支持基台本体１２の上壁１６の両端部（特定側部及び他方側部）には第１係合突条２６及び第２係合突条２８が存在しないので、注入した石膏４８が上壁１６の両端部に流れるようになり、石膏４８を上壁１６の全域にほぼ均一に注入することができる。
【００３８】
注入空間４６内に注入した石膏４６が硬化することにより、ダウエルピン８が植設され且つ第１係合凹条３６（支持基台１０側の第１係合突条２６に対応する凹条）、第２係合凹条３８（支持基台１０側の第２係合突条２８に対応する凹条）及び複数の補助係合凹条４０（支持基台１０側の複数の補助係合突条３０に対応する凹条）が形成された固定用プレート６が成型される。
【００３９】
しかる後、成型用基枠４２を支持基台本体１２の上部から取り外し、固定用プレート６の上面に例えば研削加工を施して平坦となるように加工する（研削加工工程）。この加工は、固定用プレート６を支持基台本体１２の上面に装着した状態で行われ、ダウエルピン８の基端面が外部に露出するまで行われる。
【００４０】
その後、研削加工を施した固定用プレート６（プレート本体３４）の上面に歯形模型４を接着剤等を用いて固定し（歯形模型固定工程）、このようにして図１〜図３に示す通りの歯科技工用作業模型２を製作することができる。そして、この作業模型２を用いて作業を行うときには、固定用プレート６を支持基台１０に支持させた状態で、図１において一点鎖線５２で示すように歯形模型４の所定部位（即ち、隣接する一対のダウエルピン８の間の部位）を固定用プレート６とともに切断工具（図示せず）を用いて切断する（模型切断工程）。
【００４１】
このとき、支持基台１０の特定側部（第１係合突条２６が設けられた側部）が作業者の手前側に位置するように位置付けられ、かく位置付けた状態で歯形模型４の切断が行われ、このようにして切断することによって、切断工具の切断刃が幾分傾斜した状態で切断したとしてもダウエルピン８を傷つけたりすることがなく、ダウエルピン８の損傷を回避することができる。
【００４２】
このように固定用プレート６を切断すると、支持基台１０側の第１係合突条２６及び第２係合突条２８も切断工具による切込み５４が形成されるようになる。このように切断することによって、歯形模型４の切断した部位を固定用プレート６及びダウエルピン８とともに残りの部位から取り出すことができる。なお、上述したように、支持基台本体１２の周側壁１４には挿入孔２０に対応して位置決め用突部３２が設けられているので、歯形模型４を切断する際に、この位置決め用突部３２を目視することによって、ダウエルピン８の配設箇所を容易に確認することができる。
【００４３】
この歯科技工用作業模型２においては、切断した歯形模型片４Ａの支持基台１０からの落下を防止することができる。図４を参照して、このような歯科技工用作業模型２では、歯形模型４が固定された固定用プレート６（プレート本体３４）の幅方向の重心Ｇは、その幅方向のほぼ中央線Ｐ１上に位置するのに対し、固定プレート６側のダウエルピン８は、支持領域１６の特定側部（第１係合突条２６）側に片寄って位置している複数の挿入孔２０に挿入されているために、挿入孔２０の中心線Ｐ２（即ち、ダウエルピン８の中心線）は、歯形模型が固定された固定用プレートの幅方向の重心Ｇから幅方向に距離Ｄだけずれた位置に位置する。それ故に、固定用プレート６を装着した状態で支持基台１０を裏返したときには、固定用プレート６の幅方向の重心Ｇに作用する力は、ダウエルピン８の中心線Ｐ２上の点Ｑを中心とするモーメント力として作用し、このモーメント力によりダウエルピン８が支持基台１０の挿入孔２０の内周面に押し付けられるようになり、その結果、裏返した際におけるダウエルピン８の挿入孔２０からの抜けが効果的に抑えられる。
【００４４】
上述した形態では、歯形模型固定工程において、固定用プレート６の上面に歯形模型４を接着剤等を用いて固定するようにしているが、このような構成に代えて、注入空間４６に石膏４８を注入した後に、注入した石膏４８の硬化前に歯形模型４を押し付け、石膏５２の硬化により固定用プレート６の上面に歯形模型４を固定するようにしてもよい。
【００４５】
このようにして製作された歯科技工用作業模型２（その支持基台１０）は、次の通りの特徴を有する。まず、複数の挿入孔２０（具体的には、挿入孔２０の中心線Ｐ２であって、これに装着されるダウエルピン８の軸方向の中心線Ｐ２）が支持基台１０の特定側部（第１係合突条２６）側に配置されているので、支持基台１０の第１係合突条２６から挿入孔２０（その中心線Ｐ２）までの距離Ｗ１は、支持基台１０の第２係合突条２８から挿入孔２０（その中心線Ｐ２）までの距離Ｗ２よりも小さくなる（Ｗ１＜Ｗ２）。従って、支持基台１０の特定側部側から歯形模型４を切断する場合、支持基台１０の周側壁１４に設けられた位置決め用突部３２とこれに対応する挿入孔２０（これに挿入されたダウエルピン８）との間の間隔が短くなるために、例えば支持基台１０の特定側部側から見て切断工具（図示せず）が少し傾いた状態で切断したとしてもダウエルピン８を切断するおそれが少なくなり、歯形模型４の切断作業の切断ミスを大きく減らすことができる。
【００４６】
また、このように固定用プレート６（プレート本体３４）の幅方向の重心Ｇと、挿入孔２０の中心線Ｐ２（即ち、ダウエルピン８の中心線Ｐ２）とは、固定用プレートの幅方向に距離Ｄだけずれているので、固定用プレート６を装着した状態で支持基台１０を裏返したときに、この固定用プレート６の幅方向の重心Ｇに作用する力は、ダウエルピン８の中心線Ｐ２上の点Ｑを中心とするモーメント力として作用し、このモーメント力によりダウエルピン８が支持基台１０の挿入孔２０の内周面に押し付けられるようになり、これによって、裏返した際におけるダウエルピン８の挿入孔２０からの抜けを効果的に抑えることができる。
【００４７】
また、支持基台１０（支持基台本体１２）側に第１係合突条２６及び第２係合突条２８が設けられているとともに、固定用プレート６（プレート本体３４）側に第１係合凹条３６及び第２係合凹条３８が設けられているので、支持基台１０の上面（支持領域１８）に固定用プレート６を装着した状態においては、支持基台１０側の第１係合突条２６及び第２係合突条２８と固定用プレート６側の第１係合凹条３６及び第２係合凹条３８とが相互に係脱自在に係合する。
【００４８】
加えて、複数の挿入孔２０が支持基台１０の特定側部側に配置されていることに関連して、この支持基台１０（支持基台本体１２）の他方側部側に各挿入孔２０に複数の補助突条３０が設けられるとともに、固定用プレート６（プレート本体３４）側にこれら補助係合突条３０に対応して複数の補助係合凹条４０が設けられているので、支持基台１０の上面（支持領域１８）に固定用プレート６を装着した状態においては、支持基台１０側の複数の補助係合突条３０と固定用プレート６側の補助係合凹条４０とが相互に係合する。
【００４９】
従って、固定用プレート６を支持基台１０に装着した状態においては、支持基台１０と固定用プレート６との係合状態が確実に保たれて固定用プレート６のガタなどが確実に抑えられ、また歯形模型４を切断して固定用プレート６の一部を繰り返して抜差しても支持基台１０に対する相対的なガタ、回動なども確実に抑えられる。
【００５０】
〈第２の実施形態〉
次いで、図７及び図８を参照して、本発明に従う歯科技工用作業模型の第２の実施形態について説明する。図７においては、第２の実施形態の歯科技工用作業模型の支持基台のみを示している。尚、以下の実施形態において、第１の実施形態と実質上同一の部材には同一の参照番号を付し、その説明を省略する。
【００５１】
この第２の実施形態の歯科技工用作業模型２Ａ（図８参照）においては、図７及び図８と図２図３とを対比することによって理解される如く、支持基台１０Ａ側の複数の補助係合突条３０Ａ及び固定用プレート６Ａ側の複数の補助係合凹条４０Ａに関連する構成に修正が施されている。
【００５２】
図６及び図７において、支持基台１０Ａ側の複数の補助係合突条３０Ａは、支持基台１０Ａ（支持基台本体１２Ａ）の第２係合突条２８Ａの内側面（特定側部側の第１係合突条２６Ａと対向する側面）から第１係合突条２６Ａに向けて直線状に延び、それらの先端部には上方に突出する先端突部６２が設けられ、これらの先端突部６２は、例えば略矩形状に形成されている。
【００５３】
第２の実施形態では、第１及び第２係合突条２６Ａ，２８Ａの高さをＨとすると、複数の補助係合突条３０Ａの高さＨ１は、図８に示すように、例えば第１及び第２係合突条２８Ａの高さＨの１／２０〜２／５程度の高さ（Ｈ／２０＜Ｈ１＜２Ｈ／５）に設定され、先端突部６２の高さＨ２（支持基台１０Ａの上壁１６Ａの上面からの高さ）は、例えば第１及び第２係合突条２６Ａ，２８Ａの高さＨの２Ｈ／５〜Ｈ程度の高さ（２Ｈ／５＜Ｈ１＜Ｈ）に設定される。
【００５４】
この第２の実施形態においても、固定用プレート６Ａは、上述の第１の実施形態と同様に、支持基台１０Ａの上端部に成型用基枠（図示せず）を取り付け、この成型用基枠内に規定された注入空間内に石膏を注入することにより形成される。このことに関連して、固定用プレート６Ａの下面には、支持基台１０Ａ側の複数の補助係合突条３０Ａに対応して複数の補助係合凹条４０Ａが設けられ、これらの補助係合凹条４０Ａは固定用プレート６Ａ側の第２係合凹条３８Ａの内側面（第１係合凹条３６Ａと対向する側面）から第１係合凹条３６Ａに向けて直線状に延びている。また、複数の補助係合凹条４０Ａの先端部には、複数の補助係合突条３０Ａの先端突部６２に対応して先端凹部６４が設けられ、これら先端凹部６４は、先端突部６２の形状に対応して例えば略矩形状に形成される。この歯科技工用作業模型２Ａのその他の構成は、上述した第１の実施形態と実質上同一である。
【００５５】
この第２の実施形態の歯科技工用作業模型２Ａにおいては、支持基台１０Ａの支持領域１８Ａに歯形模型４が固定された固定用プレート６Ａを取り付けると、図８に示すように取り付けられる。この装着状態においては、支持基台１０Ａの特定側部側の第１係合突条２６Ａ及びその他方側部側の第２係合突条２８Ａと固定用プレート６Ａ側の第１係合凹条３６Ａ及び第２係合凹条３８Ａとが係脱自在に係合する。また、支持基台１０Ａ側の複数の補助係合突条３０Ａと固定用プレート６Ａ側の複数の補助係合凹条４０Ａとが係脱自在に係合され、更に複数の補助係合突条３０Ａの先端突部６２が複数の係合補助凹部４０Ａの先端凹部６４に係脱自在に食い込むように係合され、これにより、支持基台と固定用プレートとを一層確実に係合させることができる。
【００５６】
〈第３の実施形態〉
次に、図９を参照して、本発明に従う歯科技工用作業模型の第３の実施形態について説明する。この第３の実施形態の歯科技工用作業模型２Ｂにおいては、支持基台１０Ｂ側の複数の補助係合突条３０Ｂ及び固定用プレート６Ｂ側の複数の補助係合凹条４０Ｂに関連する構成に修正が施されている。
【００５７】
図９において、支持基台１０Ｂ側の複数の補助係合突条３０Ｂは、支持基台１０Ｂ（支持基台本体１２Ｂ）の第２係合突条２８Ｂの内側面（特定側部側の第１係合突条２６Ｂと対向する側面）から第１係合突条２６Ｂに向けて直線状に延び、それらの先端部には上方に突出する先端突部６２Ｂが設けられ、これら複数の補助係合突条３０Ｂの上面は、内側に向けて（即ち、第２係合突条２８Ｂから先端突部６２Ｂに向けて）下方に直線状に傾斜して延びている。
【００５８】
この第３の実施形態においても、固定用プレート６Ｂは、上述した第１の実施形態と同様に、この支持基台１０Ｂの上端部に成型用基枠（図示せず）を取り付け、この成型用基枠内に石膏を注入することにより形成される。このことに関連して、固定用プレート６Ｂの下面には、支持基台１０Ｂ側の複数の補助係合突条３０Ｂに対応して複数の補助係合凹条４０Ｂが設けられ、これらの補助係合凹条４０Ｂの先端部には、支持基台１０Ｂ側の先端突部６２Ｂに対応して先端凹部６４Ｂが設けられ、更に複数の補助係合凹条４０Ｂの底面は、内側に向けて（即ち、固定用プレート６Ｂの第２係合凹条３８Ｂから先端凹部６４Ｂに向けて）支持基台１０Ｂに近接する方向に直線状に傾斜して延びている。この第３の実施形態の歯科技工用作業模型２Ｂのその他の構成は、上述した第２の実施形態と実質上同一である。
【００５９】
この第３の実施形態の歯科技工用作業模型２Ｂにおいては、固定用プレート６Ｂ側の複数のダウエルピン８を支持基台１０Ｂ側の挿入孔２０に挿入して、支持基台１０Ｂの支持領域１８Ｂに歯形模型４が固定された固定用プレート６Ｂを取り付けると、図９に示すように取り付けられる。この装着状態においては、支持基台１０Ｂ側の第１係合突条２６Ｂ及び第２係合突条２８Ｂと固定用プレート６Ｂ側の第１係合凹条３６Ｂ及び第２係合凹条３８Ｂとが係脱自在に係合し、また支持基台１０Ｂ側の複数の補助係合突条３０Ｂと固定用プレート６Ｂ側の複数の補助係合凹条４０Ｂとが係脱自在に係合され、更に複数の補助係合突条３０Ｂの先端突部６２Ｂと複数の係合補助凹部４０Ｂの先端凹部６４Ｂとが係脱自在に係合され、それらの係合状態は、複数の補助係合突条３０Ｂの上面と複数の補助係合凹条４０Ｂの底面とが傾斜した接触状態となる。従って、この第３の実施形態の歯科技工用作業模型２Ｂにおいても第２の実施形態と同様の作用効果を奏することができる。
【００６０】
尚、この第３の実施形態では、複数の補助係合突条３０Ｂ側において先端突部６２Ｂ及び傾斜面構造（これに伴い、複数の補助係合凹条４０Ｂ側において先端凹部６４Ｂ及び傾斜面構造）を組み合わせて適用しているが、このような構成に代えて、複数の補助係合突条３０Ｂ側において傾斜面構造（これに伴い、複数の補助係合凹条４０Ｂ側において傾斜面構造）のみを適用するようにしてもよい。
【００６１】
〈第４の実施形態〉
次に、図１０を参照して、本発明に従う歯科技工用作業模型の第４の実施形態について説明する。この第４の実施形態の歯科技工用作業模型においては、支持基台１０Ｃ側の複数の補助係合突条３０Ｃ及び固定用プレート側の複数の補助係合凹条に関連する構成並びに支持基台１０Ｃの第１係合突条２６Ｃに関連する構成に修正が施されている。尚、図１０においては、第４の実施形態の歯科技工用作業模型における支持基台１０Ｃのみを示している。
【００６２】
図１０において、この第４実施形態では、支持基台１０Ｃの特定側部に設けられた第１係合突部２６Ｃの内側面に基台側傾斜突部７２が設けられ、この基台側傾斜突部７２の傾斜上面は、内側（即ち、挿入孔２０側）向けて下方に傾斜して延びている。この基台側傾斜突部７２には、更に、その長手方向に間隔をおいて複数の基台側係合凹部７４が設けられ、これら基台側係合凹部７４は、支持基台本体１２Ｃの上壁１６Ｃの上面まで延びている。
【００６３】
この第４の実施形態においては、複数の補助係合突条３０Ｃは、支持基台本体１２Ｃの複数の挿入孔２０に対応して設けられ、各補助係合突条３０Ｃは、支持基台１０Ｃの他方側部側の第２係合突条２８Ｃの内側面から対応する挿入孔２０に向けて直線状にのびており、各補助係合突条３０Ｃの先端部には、略矩形状の先端突部６４Ｃが設けられている。尚、この第４の実施形態では、例えば、第１の実施形態と比較して、補助係合突条３０Ｃの個数が少なくなっていることに関連して、その幅（図１０において左右方向の幅）が広くなっている。
【００６４】
この第４の実施形態においても、固定用プレート６Ｃは、上述した第１の実施形態と同様に、この支持基台１０Ｃの上端部に成型用基枠（図示せず）を取り付け、この成型用基枠内に石膏を注入することにより形成される。このことに関連して、図示していないが、固定用プレートの下面は、次の通りの構成となる。即ち、支持基台１０Ｃ（支持基台本体１２Ｃ）の第１係合突条２６Ｃに対応して固定用プレート（プレート本体）の片側側部に第１係合凹条が設けられ、その第２係合突条２８Ｃに対応して固定用プレートの他側側部に第２係合凹条が設けられる。また、この固定用プレートの下面には、支持基台１０Ｃ側の基台側傾斜突部７２に対応してプレート側傾斜凹条が設けられ、このプレート側傾斜凹条の傾斜下面は、内側に向けて支持基台１０Ｃ側に傾斜して延びている。更に、このプレート側傾斜凹条には、支持基台側傾斜突部７２の複数の基台側係合凹部７４に対応して複数のプレート側係合突部が設けられ、かかる複数のプレート側係合突部はプレート側傾斜凹条の長手方向に間隔をおいて設けられている。更にまた、この固定用プレートの下面には、支持基台１０Ｃ側の複数の補助係合突条３０Ｃに対応して複数の補助係合突条が設けられるとともに、これら補助係合突条３０Ｃの先端突部６４Ｃに対応して補助係合凹部の先端部に先端凹部が設けられる。この第４の実施形態の歯科技工用作業模型のその他の構成は、上述した第２の実施形態と実質上同一である。
【００６５】
この第４の実施形態の歯科技工用作業模型においては、支持基台１０Ｃの特定側部側に第１係合突条２６Ｃ（これに係合する第１係合凹条）、複数の挿入孔２０（これらに挿入されるダウエルピン）並びに基台側傾斜突部７２及び基台側係合凹部７４（これらに係合されるプレート側傾斜凹条及びプレート側係合突部）が配置され、またその他方側に第２係合突条２８Ｃ（これに係合する第２係合凹条）並びに複数の補助係合突条３０Ｃ及び先端突部６４Ｃ（これらに係合する複数の補助係合凹条及び先端凹部）が配置され、このように構成することにより、切断した歯形模型４を繰り返しても抜差しても支持基台１０に対する相対的なガタ、回動なども確実に抑えることができる。
【００６６】
即ち、支持基台１０Ｃ（支持基台本体１２Ｃ）の上面（支持領域１８）に固定用プレートを支持する支持状態においては、固定用プレート側の複数のダウエルピンが支持基台１０Ｃ側の挿入孔２０に挿入され、支持基台本体１２Ａ側の第１係合突条２６Ｃ及び第２係合突条２８Ｃと固定用プレート（プレート本体）側の第１係合凹条及び第２係合凹条とが相互に係合し、また支持基台１０Ｃ側の基台側傾斜突部７２及び基台側係合凹部７４と固定用プレート側のプレート側傾斜凹条及びプレート側係合突部とが相互に係合する。更に、基台本体１０Ｃ側の複数の補助係合突条３０Ｃ及び先端突部６４Ｃと固定用プレート側の複数の補助係合凹条及び先端凹部とが相互に係合する。従って、このように構成しても、支持基台１０Ｃと固定用プレート（図示せず）とを所要の通りに係合させることができ、上述したと同様の作用効果を奏することができる。
【００６７】
尚、この第４の実施形態で適用した基台本体１０Ｃ側の基台側傾斜突部７２及び基台側係合凹部７４と固定用プレート側のプレート側傾斜凹条及びプレート側係合突部とを組み合わせた構成は、上述した第１〜第３の実施形態の歯科技工用作業模型にも同様に適用することができる。
【００６８】
〈第５の実施形態〉
次に、図１１〜図１２を参照して、本発明に従う歯科技工用作業模型の第５の実施形態について説明する。図１〜図１０に示す実施形態（第１〜第４の実施形態）では、歯形模型が部分タイプのものに適用して説明したが、この図１１〜図１２に示す第５の実施形態では、歯形模型が全顎タイプのもの（全顎・シングルピンタイプ）、即ち上歯全体（又は下歯全体のもの）に適用して説明する。
【００６９】
図１１及び図１２において、この第５の実施形態の歯科技工用作業模型における支持基台１０Ｄは、略半楕円状の支持基台本体１２Ｄを備え、この支持基台本体１２Ｄの外周部の上端部に略Ｕ字状の上壁１６Ｄが設けられ、かかる上壁１６Ｄが弧状に延び、この上壁１６Ｄの上面が支持領域１８Ｄとして機能する。
【００７０】
この第５の実施形態の歯科技工用作業模型の支持基台１０Ｄにおいては、図１１及び図１２と図７及び図８（第２の実施形態）とを対比することによって理解される如く、支持基台１０Ｄ（支持基台本体１２Ｄ）の構成に加えて、第１係合突条２６Ｄに関連する構成に修正が施されている。更に説明すると、支持基台１０Ｄの上壁１６Ｄ（支持領域１８Ｄ）が略Ｕ字状であることに関連して、その特定側部（外側側部）に設けられる第１係合突条２６Ｄは略Ｕ字状の弧状に延び、またその他方側部（内側側部）に設けられる第２係合突条２８Ｄも、第１係合突条２６Ｄに対向してその内側にて略Ｕ字状に弧状に延び、支持基台１０Ｄの周側壁１４Ｄ（具体的には、その内側壁）の内側が略半楕円状の接続壁８２により接続している。
【００７１】
また、支持基台１０Ｄ（支持基台本体１２Ｄ）の複数の挿入孔２０（具体的には、その中心線Ｐ２）は、支持基台１０Ｄ（支持基台本体１２Ｄ）の上壁１６Ｄの上面、即ち支持領域１８Ｄの幅方向の中央線Ｐ１（図１２参照）よりも特定側部側（即ち、第１係合突条２６Ｄ）側に配設されている。これら挿入孔２０は、支持基台本体１２Ｄの上壁１６Ｄの上面（支持領域１８Ｄ）に沿って弧状に間隔をおいて配設され、この上壁１６Ｄの上面（支持領域１８Ｄ）の幅をＷとしたときに、上述したと同様に、その特定側端から挿入孔２０までの距離Ｗ１（挿入孔２０の中心線Ｐ２までの距離）が（Ｗ／５）＜Ｗ１＜（Ｗ／２）の範囲に、好ましくはＷ／４＜Ｗ１＜２Ｗ／５）の範囲に設定される。
【００７２】
また、支持基台１０Ｄの第１係合突条２６Ｄの内側面には、図１０の第４の実施形態と同様に、基台側傾斜突部７２Ｄが設けられ、この基台側傾斜突部７２Ｄの傾斜上面は、内側（即ち、挿入孔２０側）向けて下方に傾斜して延びている。この基台側傾斜突部７２Ｄには、更に、その長手方向に沿って間隔をおいて複数の基台側係合凹部７４Ｄが設けられている。
【００７３】
この第５の実施形態においては、更に、支持基台本体１２Ｄの他方側部の２係合突条２８Ｄの内側面には、間隔をおいて複数の補助係合突条３０Ｄが設けられている。これら補助係合突条３０Ｄは、支持基台１０Ｄの特定側部側（即ち、第１係合突条２６Ｄ側）に向けて直線状に延び、それらの先端部には、上方に突出する先端突部６２Ｄが設けられ、これら先端突部６２Ｄは、支持領域１８Ｄの幅方向の中央線Ｐ１に位置している（図１２参照）。
【００７４】
この形態では、全顎タイプの歯形模型に適用するものであるために、挿入孔２０（換言すると、用いるダウエルピン）はこの支持領域１８Ｄに沿って１４個設けられ、図１１に示すように、支持基台本体１２Ｄの上壁１６Ｄ（即ち、支持領域１８Ｄ）の両端側ほど挿入孔２０間の間隔（即ち、ダウエルピン間の間隔）が大きくなっている。
【００７５】
このことに関連して、この実施形態では、複数の補助係合突条３０Ｄの先端突部６２Ｄが実質上等間隔となるようにこれら補助係合突条３０Ｄが設けられ、隣接する挿入孔２０間（具体的には、隣接する挿入孔２０の中心線Ｐ２（図１２参照）間）に例えば１．５〜５個の補助係合突条３０Ｄが配設される。そして、隣接する挿入孔２０間の間隔が小さい支持基台１０Ｄ（支持領域１８Ｄ）の長手方向中央部及びその付近においては、例えば１．５〜３個程度設けられ、隣接する挿入孔２０間の間隔が大きい支持基台１０Ｄ（支持領域１８Ｄ）の両端部及びその付近では２〜５個程度設けられ、この両端部及びその近傍の方がその中央部及びその近傍よりも多く設けられる。
【００７６】
この第５の実施形態の歯科技工用作業模型では、固定用プレート（図示せず）は、上述した第１の実施形態と同様に、この支持基台１０Ｄの上端部に成型用基枠（図示せず）を取り付け（具体的には、成型用基枠の外側は位置決め用突部３２に当接するように、またその内側は接続壁８２に当接するように取り付けられる）、この成型用基枠内に石膏を注入することにより形成される。
【００７７】
このようなことから、支持基台１０Ｄの構成が上述した通りの構成である場合、この支持基台１０Ｄの上面に対応する固定用プレートの下面は、図面でもって示していないが、次の通りの構成となる。即ち、支持基台１０Ｄ（支持基台本体１２Ｄ）の特定側部側の第１係合突条２６Ｄに対応して固定用プレート（プレート本体）の片側側部に第１係合凹条が設けられ、その第２係合突条２８Ｄに対応して固定用プレートの他側側部に第２係合凹条が設けられる。また、この固定用プレートの下面には、支持基台１０Ｄ側の基台側傾斜突部７２Ｄに対応してプレート側傾斜凹条が設けられ、このプレート側傾斜凹条には、支持基台側傾斜突部７２Ｄの複数の基台側係合凹部７４Ｄに対応して複数のプレート側係合突部が設けられる。
【００７８】
更に、固定用プレートの下面には、支持基台１０Ｄ側の複数の補助係合突条３０Ｄに対応して複数の補助係合凹条が設けられ、これらの補助係合凹条は固定用プレート側の第２係合凹条の内側面から第１係合凹条に向けて直線状に延び、これら補助係合凹条の先端部には、複数の補助係合突条３０Ｄの先端突部６２Ｄに対応して先端凹部が設けられ、この歯科技工用作業模型のその他の構成は、上述した第１の実施形態と実質上同一である。
【００７９】
この第５の実施形態の歯科技工用作業模型において、固定用プレート側の複数のダウエルピンを支持基台１０Ｄ側の複数の挿入孔２０に挿入して支持基台１０Ｄの支持領域１８に固定用プレート（図示せず）を取り付けると、上述した記載から理解される如く、支持基台１０Ｄの特定側部側の第１係合突条２６Ｄ及びその他方側部側の第２係合突条２８Ｄと固定用プレート側の第１係合凹条及び第２係合凹条とが係脱自在に係合し、また支持基台１０Ｄ側の基台側傾斜突部７２Ｄ及び基台側係合凹部７４Ｄと固定用プレート側のプレート側傾斜凹条及びプレート側係合突部が係合する。更に、支持基台１０Ｄ側の複数の補助係合突条３０Ｄ及び先端突部６２Ｄと固定用プレート側の複数の補助係合凹条及び先端凹部とが係脱自在に係合され、これにより、上述したと同様に、支持基台１０Ｄと固定用プレートとを一層確実に係合させることができる。
【００８０】
〈第６の実施形態〉
次に、図１３を参照して、本発明に従う歯科技工用作業模型の第６の実施形態について説明する。この第６の実施形態では、図１３と図７及び図８とを対比することによって理解される如く、歯形模型が部分タイプのものであって、ダウエルピンが２列に配設されたもの（所謂、部分歯・ダブルピンタイプのもの）に適用している。
【００８１】
図１３において、この第６の実施形態の歯科技工用作業模型の支持基台１０Ｅにおいては、支持基台本体１２Ｅの支持領域１８Ｅに複数の挿入孔２０Ｅが２列に設けられている。即ち、複数の挿入孔２０Ｅは、支持基台本体１２Ｅの特定側部側（第１係合突条２６Ｅ側）に配設された複数の第１挿入孔２０Ｅａと、これら第１挿入孔２０Ｅａの内側（第２係合突条２８Ｅ側）に配設された複数の第２挿入孔２０Ｅｂとから構成されている。
【００８２】
この第６の実施形態では、複数の第１挿入孔２０Ｅａの内径は複数の第２挿入孔２０Ｅｂよりも大きく、従って、第１挿入孔２０Ｅａに挿入される第１ダウエルピン（図示せず）は外径が大きいものが用いられ、第２挿入孔２０Ｅｂに挿入される第２ダウエルピン（図示せず）は外径が小さいものが用いられる。尚、このような構成に代えて、複数の第１及び第２挿入孔２０Ｅａ，２０Ｅｂの外径を大きくして、第１及び第２ダウエルピンとして外径が大きなものを用いるようにしてもよく、或いは複数の第１及び第２挿入孔２０Ｅａ，２０Ｅｂの外径を小さくして、第１及び第２ダウエルピンとして外径が小さなものを用いるようにしてもよく、第６の実施形態のものに適用する場合、第１及び第２ダウエルピンとして外径が小さいものを用いるのが好ましい。
【００８３】
この第６の実施形態においては、また、複数の挿入孔２０Ｅ（第１及び第２挿入孔２０Ｅａ，２０Ｅｂ）が支持基台１０Ｅの支持領域１８Ｅの幅方向の中央線Ｐ１よりも特定側部側（第１係合突条２６Ｅ側）に配置されている。具体的には、複数の第１及び第２挿入孔２０Ｅａ、２０Ｅｂの全体が上記中央線Ｐ１よりも支持基台１０Ｅの特定側部側（第１係合突条２６Ｅ側）に配置されているが、複数の第１挿入孔２０Ｅａの全体と複数の第２挿入孔２０Ｅｂの中心線とが上記中央線Ｐ１よりも支持基台１０Ｅの特定側部側に配置することによって、上述した所望の効果を達成することができ、このダブルピンタイプのもの場合、複数の第１挿入孔２０Ｅａの全体及び複数の第２挿入孔２０Ｅｂの中心線が上記幅方向の中央線Ｐ１よりも特定側部側に配置されることをいう。
【００８４】
また、この第６の実施形態では、図１０の第４の実施形態と同様に、支持基台１０Ｅの特定側部側の第１係合突条２６Ｅの内側面に基台側傾斜突部７２Ｅが設けられ、この基台側傾斜突部７２Ｅにその長手方向に間隔をおいて複数の基台側係合凹部７４Ｅが設けられている。更に、支持基台１０Ｅの支持領域１８Ｅの他方側部（第２係合突条２８Ｅ側）に複数の補助係合突条３０Ｅが設けられ、これら補助係合突条３０Ｅは、支持基台１０Ｅの第２係合突条２８Ｅの内側面から第１係合突条２６Ｅに向けて直線状に延びており、これら補助係合突条３０Ｅの先端部には、略矩形状の先端突部６２Ｅが設けられている。
【００８５】
この第６の実施形態では、支持基台１０Ｅの特定側部側にダウエルピン（第１及び第２ダウエルピン）、第１係合突条２６Ｅ並びに基台側傾斜突条７２Ｅ及び基台側係合凹部７４Ｅが設けられているので、後述する固体用プレートとの係合状態がよりガタの少ない確実になるが、このようなガタの少ない係合状態が維持できる場合には、基台側傾斜突条７２Ｅ及び基台側係合凹部７４Ｅを省略することもできる。
【００８６】
この第６の実施形態においても、固定用プレートは、上述した第１の実施形態と同様に、この支持基台１０Ｅの上端部に成型用基枠（図示せず）を取り付け、この成型用基枠内に石膏を注入することにより形成される。このことに関連して、図示していないが、固定用プレートの下面は、次の通りの構成となる。即ち、支持基台１０Ｅ（支持基台本体１２Ｅ）の第１係合突条２６Ｅに対応して固定用プレート（プレート本体）の片側側部に第１係合凹条が設けられ、その第２係合突条２８Ｅに対応して固定用プレートの他側側部に第２係合凹条が設けられる。また、この固定用プレートの下面には、支持基台１０Ｅ側の基台側傾斜突部７２Ｅに対応してプレート側傾斜凹条が設けられ、このプレート側傾斜凹条には、支持基台１０Ｅ側の複数の基台側係合凹部７４Ｅに対応して複数のプレート側係合突部が設けられる。更にまた、この固定用プレートの下面には、支持基台１０Ｅ側の複数の補助係合突条３０Ｅに対応して複数の補助係合凹条が設けられるとともに、これら補助係合突条３０Ｅの先端突部６２Ｅに対応して補助係合凹部の先端部に先端凹部が設けられる。この第６の実施形態の歯科技工用作業模型のその他の構成は、上述した第２の実施形態と実質上同一である。
【００８７】
この第６の実施形態の歯科技工用作業模型においては、固定用プレート側のダウエルピン（第１及び第２ダウエルピン）を支持基台１０Ｅ側の挿入孔２０Ｅ（第１及び第２挿入孔２０Ｅａ，２０Ｅｂ）に挿入して支持基台１０Ｅの支持領域１８Ｅに歯形模型が固定された固定用プレートを取り付けると、上述した記載から容易に理解される如く、支持基台１０Ｅの特定側部側の第１係合突条２６Ｅ及びその他方側部側の第２係合突条２８Ｅと固定用プレート側の第１係合凹条及び第２係合凹条とが係脱自在に係合するとともに、その基台側傾斜突条７２Ｅ及び基台側係合凹部７４Ｅと固定用プレート側のプレート側傾斜凹条及びプレート側係合突部とが係脱自在に係合される。また、支持基台１０Ｅ側の複数の補助係合突条３０Ｅ及びそれらの先端突部６２Ｅと固定用プレート側の複数の補助係合凹条及びそれらの先端凹部とが係脱自在に係合され、これにより、上述した実施形態と同様に、支持基台１０Ｅと固定用プレートとを一層確実に係合させることができる。
【００８８】
〈第７の実施形態〉
次に、図１４を参照して、本発明に従う歯科技工用作業模型の第７の実施形態について説明する。この第７の実施形態では、図１４と図１０（第４の実施形態）及び図１１〜図１２（第５の実施形態）とを対比することによって理解される如く、歯形模型が全顎タイプのものであって、ダウエルピンが２列に配設されたもの（所謂、全顎・ダブルピンタイプのもの）に適用している。
【００８９】
図１４において、この第７の実施形態の歯科技工用作業模型の支持基台１０Ｅにおいては、支持基台本体１２Ｆの支持領域１８Ｆに複数の挿入孔２０Ｆが２列に設けられている。即ち、複数の挿入孔２０Ｅは、支持基台本体１２Ｆの特定側部側（第１係合突条２６Ｆ側）に配設された複数の第１挿入孔２０Ｆａと、これら第１挿入孔２０Ｆａの内側（第２係合突条２８Ｆ側）に配設された複数の第２挿入孔２０Ｆｂとから構成されている。この第７の実施形態では、複数の第１挿入孔２０Ｆａの内径と複数の第２挿入孔２０Ｆｂの内径とは等しくなっており、従って、第１及び第２挿入孔２０Ｆａ、２０Ｆｂに挿入される第１及び第２ダウエルピン（図示せず）は、同じものが用いられる。
【００９０】
この第７の実施形態においては、複数の挿入孔２０Ｆ（第１及び第２挿入孔２０Ｆａ，２０Ｆｂ）が支持基台１０Ｆの支持領域１８Ｆの幅方向の中央線Ｐ１よりも特定側部側（第１係合突条２６Ｆ側）に配置されている。具体的には、複数の第１及び第２挿入孔２０Ｆａ、２０Ｆｂの全体が上記中央線Ｐ１よりも支持基台１０Ｆの特定側部側（第１係合突条２６Ｆ側）に配置されている。
【００９１】
また、この第７の実施形態では、図１０の第４の実施形態と同様に、複数の挿入孔２０Ｆ（第１及び第２挿入孔２０Ｆａ，２０Ｆｂ）の各々に対応して補助係合突条３０Ｆが設けられ、これら補助係合突条３０Ｆは、支持基台１０Ｆの第２係合突条２８Ｆの内側面から対応する挿入孔２０Ｆ（第１及び第２挿入孔３０Ｆａ，３０Ｆｂ）に向けて直線状に延びており、これら補助係合突条３０Ｆの先端部には、略矩形状の先端突部６２Ｆが設けられている。
【００９２】
この第７の実施形態では、全顎タイプの歯形模型に適用するものであるために、挿入孔２０Ｆ（一対の第１及び第２挿入孔２０Ｆａ，２０Ｆｂ）はこの支持領域１８Ｆに沿って１４組設けられ、図１１及び図２に示す第５の実施形態と同様に、支持基台本体１２Ｆの上壁１６Ｆ（即ち、支持領域１８Ｆ）の両端側ほど挿入孔２０Ｆ（第１及び第２挿入孔２０Ｆａ，２０Ｆｂ）間の間隔（即ち、第１及び第２挿入孔２０Ｆａ，２０Ｆｂ）に挿入される第１及び第２ダウエルピン間の間隔）が大きくなっている。
【００９３】
このことに関連して、図１４に示すように、この第７の実施形態では、複数の補助係合突条３０Ｆの幅の大きさが異なっており、支持領域１８Ｆの両端部及びその近傍に位置する補助係合突条３０Ｆの幅が大きく、その中央部及びその近傍に位置する補助係合突条３０Ｆの幅が小さくっている。尚、このような構成に代えて、複数の補助係合突条３０Ｆの幅を全て同じ幅にするようにしてもよい。
【００９４】
この第７の実施形態においても、固定用プレートは、上述した第１の実施形態と同様に、この支持基台１０Ｆの上端部に成型用基枠（図示せず）を取り付け、この成型用基枠内に石膏を注入することにより形成される。このことに関連して、図示していないが、固定用プレートの下面は、次の通りの構成となる。即ち、支持基台１０Ｆ（支持基台本体１２Ｆ）の第１係合突条２６Ｆに対応して固定用プレート（プレート本体）の片側側部に第１係合凹条が設けられ、その第２係合突条２８Ｆに対応して固定用プレートの他側側部に第２係合凹条が設けられる。また、この固定用プレートの下面には、支持基台１０Ｆ側の複数の補助係合突条３０Ｆに対応して複数の補助係合突条が設けられるとともに、これら補助係合突条３０Ｆの先端突部６２Ｆに対応して補助係合凹部の先端部に先端凹部が設けられる。この第７の実施形態の歯科技工用作業模型のその他の構成は、上述した第４の実施形態と実質上同一である。
【００９５】
この第７の実施形態の歯科技工用作業模型においては、固定用プレート側のダウエルピン（第１及び第２ダウエルピン）を支持基台１０Ｆ側の挿入孔２０Ｆ（第１及び第２挿入孔２０Ｆａ，２０Ｆｂ）に挿入して支持基台１０Ｆの支持領域１８Ｆに歯形模型が固定された固定用プレートを取り付けると、上述した記載から容易に理解される如く、支持基台１０Ｆの特定側部側の第１係合突条２６Ｆ及びその他方側部側の第２係合突条２８Ｆと固定用プレート側の第１係合凹条及び第２係合凹条とが係脱自在に係合する。また、支持基台１０Ｆ側の複数の補助係合突条３０Ｆ及びそれらの先端突部６２Ｆと固定用プレート側の複数の補助係合凹条及びそれらの先端凹部とが係脱自在に係合され、これにより、上述した実施形態と同様に、支持基台１０Ｆと固定用プレートとを一層確実に係合させることができる。
【００９６】
以上、本発明に従う歯科技工用作業模型の各種実施形態について説明したが、本発明はかかる実施形態に限定されるものではなく、本発明の範囲を逸脱することなく種々の変形乃至修正が可能である。
【００９７】
例えば、図１３及び図１４に示すダブルピンタイプの場合、２列のダウエルピン（複数の第１及び第２ダウエルピン）により支持基台と固定用プレートとを確実に係合保持することができるために、図１４（第７の実施形態）に示すように、支持基台の第１係合突条側の基台側傾斜突部及び複数の基台側係合凹部並びに固定用プレートの第１係合凹条側のプレート側傾斜凹条及び複数のプレート側係合突部を省略することができるが、これらを省略した場合、図１３（第６の実施形態）と図１４（第７の実施形態）とを比較することによって理解される如く、複数の挿入孔（複数」の第１及び第２挿入孔）を支持基台の特定側部側により大きくずらすことが可能となり、これら挿入孔を特定側部側にずらすことによるより大きな効果を得ることができる。
【符号の説明】
【００９８】
２，２Ａ，２Ｂ  歯科技工用作業模型
４ 歯形模型
６，６Ａ，６Ｂ  固定用プレート
８  ダウエルピン
１０，１０Ａ，１０Ｂ，１０Ｃ，１０Ｄ，１０Ｅ，１０Ｆ  支持基台
１２，１２Ａ，１２Ｂ，１２Ｃ，１２Ｄ，１２Ｅ，１２Ｆ  支持基台本体
１８，１０（，１８Ｂ，１８Ｄ，１８Ｅ，１８Ｆ  支持領域
２０，２０Ｅ，２０Ｆ  挿入孔
２６，２６Ａ，２６Ｂ，２６Ｃ，２６Ｄ，２６Ｅ，２６Ｆ  第１係合突条
２８，２８Ａ，２８Ｂ，２８Ｃ，２８Ｄ，２８Ｅ，２８Ｆ  第２係合突条
３０，３０Ａ，３０Ｂ，３０Ｃ，３０Ｄ，３０Ｅ，３０Ｆ  補助係合突条
３６，３６Ａ，３６Ｂ  第１係合凹条
３８，３８Ａ，３８Ｂ  第２係合凹条
４０，４０Ａ，４０Ｂ  補助係合凹条
６２，６２Ｂ，６２Ｃ，６２Ｄ，６２Ｅ，６２Ｆ  先端突部
６４，６４Ｂ  先端凹部
【図１】
2020116177.tif 000003
【図２】
2020116177.tif 000004
【図３】
2020116177.tif 000005
【図４】
2020116177.tif 000006
【図５】
2020116177.tif 000007
【図６】
2020116177.tif 000008
【図７】
2020116177.tif 000009
【図８】
2020116177.tif 000010
【図９】
2020116177.tif 000011
【図１０】
2020116177.tif 000012
【図１１】
2020116177.tif 000013
【図１２】
2020116177.tif 000014
【図１３】
2020116177.tif 000015
【図１４】
2020116177.tif 000016